(57)【要約】【課題】種々の屋根形状にも対応できるとともに、バリエーションに富んだ緑化を屋根上に実現できるうえ、簡単な構造で低コストで施工できる緑化屋根構造を提供する。【解決手段】水流れ方向Ｗに沿って立はぜ１２を併設させるように複数の板材を組付け接合して形成した屋根部１４と、立はぜ１２の流れ方向の所要位置に取り付けられる複数の支持基台１６と、各支持基台１６に固定された連結部材１８と、緑化区域を仕切るように所定の位置に配置されて該連結部材１８に連結される複数の見切り材２０と、見切り材２０で仕切られた空間に配置される緑化用植栽２２と、を備え、少なくとも一つの支持基台１６の連結部材１８は、立はぜ１２の流れ方向に対して平面視で斜め方向に交差するように見切り材２０を配置させた状態で該見切り材２０と連結しうるように立はぜの流れ方向に対して傾斜した傾斜連結部４２を有する緑化屋根構造１０から構成される。【選択図】図１
0003226062.tif 000002
【実用新案登録請求の範囲】
【請求項１】
水流れ方向に沿って立はぜを併設させるように複数の板材を組付け接合して形成した屋根部と、
立はぜの流れ方向の所要位置に取り付けられる複数の支持基台と、
各支持基台に固定された連結部材と、
緑化区域を仕切るように所定の位置に配置されて該連結部材に連結される複数の見切り材と、
見切り材で仕切られた空間に配置される緑化用植栽と、を備え、
少なくとも一つの支持基台の連結部材は、立はぜの流れ方向に対して平面視で斜め方向に交差するように見切り材を配置させた状態で該見切り材と連結しうるように立はぜの流れ方向に対して傾斜した傾斜連結部を有することを特徴とする緑化屋根構造。
【請求項２】
連結部材は、立はぜの流れ方向に対する見切り材の傾斜角度を調整可能な角度調整機構を含むことを特徴とする請求項１記載の緑化屋根構造。
【請求項３】
角度調整機構は、支持基台に固定される固定基部と、
固定基部に対して縦軸回りに回動自在に連結される可動連結部であって、見切り材と連結される可動連結部と、を有する蝶番を含むことを特徴とする請求項２記載の緑化屋根構造。
【請求項４】
連結部材は、複数の見切り材をそれぞれ異なる方向に向けて固定される複数の見切り材連結部が設けられたことを特徴とする請求項１ないし３のいずれかに記載の緑化屋根構造。
【請求項５】
連結部材は、略Ｖ字状に板片部が接続されて複数の見切り材連結部を形成したＶ字状板材を含むことを特徴とする請求項４記載の緑化屋根構造。
【請求項６】
連結部材は、見切り材が連結される傾斜連結部が略円弧状に湾曲された湾曲板材を含むことを特徴とする請求項１ないし５のいずれかに記載の緑化屋根構造。
【請求項７】
見切り材は、板面が湾曲形成されたことを特徴とする請求項１ないし６のいずれかに記載の緑化屋根構造。
【請求項８】
支持基台は、立はぜを間に挟んで拝み合わせ状に配置され、締結部材を介して連結される一対のスタンド金具からなり、
連結部材は、見切り材が連結される傾斜連結部がいずれか一方側のスタンド金具に固定されたことを特徴とする請求項１ないし７のいずれかに記載の緑化屋根構造。
【請求項９】
支持基台は、立はぜを間に挟んで拝み合わせ状に配置され、締結部材を介して連結される一対のスタンド金具からなり、
連結部材は、見切り材が連結される傾斜連結部と、該傾斜連結部に一端が固定されるとともにスタンド金具の締結部材を介してスタンド金具に対して固定させる締結固定部と、を有することを特徴とする請求項１ないし７のいずれかに記載の緑化屋根構造。
【考案の詳細な説明】
【技術分野】
【０００１】
本考案は、建物の金属屋根上に様々な態様で緑化することができる緑化屋根構造に関する。
【背景技術】
【０００２】
金属屋根は、瓦やスレートと比較して軽量であるとともに、加工性が高いことから屋根形状のデザインの自由度も高く、例えば、平面視で円形状や楕円形状、扇状等のアール曲線を含む屋根形状等、様々な屋根形状にも容易に対応して施工できるので、一般住宅、工場や公共施設等でも広く利用されている。また近年では、温暖化対策、断熱性が低い金属屋根の断熱性向上のためや、建物の景観向上等のために、屋上緑化が勧められており、企業や個人を問わず、屋根や屋上に植物を植えて緑化する事例も増えつつある。
【０００３】
従来の金属屋根上を緑化する方法としては、例えば、特許文献１に示すように、金属屋根の立ちはぜを挟持するクランプに、緑化用基盤を囲う見切り材を固定するための見切り材支持体を取り付けた構造のものが知られている。特許文献１記載の見切り材の固定構造は、緑化部分を囲う見切り材は、屋根勾配方向に沿った方向と、屋根勾配に平面視で直交する軒先方向に沿った方向と、に設置され、四角枠状に設けられている。屋根勾配方向の見切り材を固定するクランプ部分では、折板屋根の立ちはぜを一対のクランプ片で挟み付けるようにして該クランプを立ちはぜに固定させるとともに、一方のクランプ片を上方に延出して、その部分で見切り材支持体を構成されている。軒先方向の見切り材を固定するクランプ部分では、折板屋根の立ちはぜを一対のクランプ片で挟み付けるようにして該クランプを立ちはぜに固定させるとともに、左右のクランプ片の上端に設けられた水平部に、Ｌ字板状に形成された見切り材支持体の水平部を載置して、各クランプ片の水平部と見切り材支持体の水平部とをボルト・ナットで締め付けて固定されている。そして、見切り材支持体の垂直部に見切り材がボルト・ナットで締め付けて固定され、軒先方向の見切り材が支持されているものであった。
【先行技術文献】
【特許文献】
【０００４】
【特許文献１】特開２００８−１２７８４３公報
【考案の概要】
【考案が解決しようとする課題】
【０００５】
従来の屋上緑化構造体での見切り材の固定構造では、特許文献１のように、見切り材を、立ちはぜの流れ方向すなわち屋根勾配の方向に対して平行方向と、平面視で直交状に交差する方向にしか設置できないことから、矩形枠状に囲む構成に限定され、緑化態様が平面視四角形状のデザインに限定されるものであった。しかしながら、例えば、平面視円形状の屋根や扇形の屋根等のように一部や全体にアール形状を有する屋根や、平面視六角形や八角形等の多角形状の屋根等の平面視矩形状でない屋根に対して、該屋根形状に対応して緑化しようとする場合には、立はぜどうしが平行に配置されない場合もあることから、見切り材を立はぜの流れ方向に対して平面視で斜めに傾斜した方向に設置する必要がある。特許文献１のような従来の見切り材の固定構造では、見切り材を立はぜに対して平面視直交方向にしか固定することができないため、種々の屋根形状に合わせて緑化することが困難であった。さらに、近時では、屋根の略全面を緑化する態様に限らず、屋根形状に左右されないで様々なデザインで屋上緑化を望む声も高まりつつあり、その要求を低コストで実現できる緑化屋根構造の開発が望まれている。
【０００６】
本考案は、上記従来の課題に鑑みてなされたものであり、その一つの目的は、種々の屋根形状にも対応できるとともに、バリエーションに富んだ態様で緑化を屋根上に実現できるうえ、簡単な構造で低コストで施工できる緑化屋根構造を提供することにある。
【課題を解決するための手段】
【０００７】
上記課題を解決するために本考案は、水流れ方向Ｗに沿って立はぜ１２を併設させるように複数の板材を組付け接合して形成した屋根部１４と、立はぜ１２の流れ方向の所要位置に取り付けられる複数の支持基台１６と、各支持基台１６に固定された連結部材１８と、緑化区域を仕切るように所定の位置に配置されて該連結部材１８に連結される複数の見切り材２０と、見切り材２０で仕切られた空間に配置される緑化用植栽２２と、を備え、少なくとも一つの支持基台１６の連結部材１８は、立はぜ１２の流れ方向に対して平面視で斜め方向に交差するように見切り材２０を配置させた状態で該見切り材２０と連結しうるように立はぜの流れ方向に対して傾斜した傾斜連結部４２を有する緑化屋根構造１０から構成される。
【０００８】
また、連結部材１８は、立はぜ１２の流れ方向（Ｗ）に対する見切り材２０の傾斜角度αを調整可能な角度調整機構６０を含むこととしてもよい。
【０００９】
また、角度調整機構６０は、支持基台１６に固定される固定基部４４と、固定基部４４に対して縦軸４６回りに回動自在に連結される可動連結部４８であって、見切り材２０と連結される可動連結部４８と、を有する蝶番５０を含むこととしてもよい。
【００１０】
また、連結部材１８は、複数の見切り材２０をそれぞれ異なる方向に向けて固定される複数の見切り材連結部（４２）が設けられたこととしてもよい。
【００１１】
また、連結部材１８は、略Ｖ字状に板片部が接続されて複数の見切り材連結部（４２）を形成したＶ字状板材６４を含むこととしてもよい。
【００１２】
また、連結部材１８は、見切り材２０が連結される傾斜連結部４２が略円弧状に湾曲された湾曲板材６６を含むこととしてもよい。
【００１３】
また、見切り材２０は、板面が湾曲形成されたこととしてもよい。
【００１４】
また、支持基台１６は、立はぜ１２を間に挟んで拝み合わせ状に配置され、締結部材３６を介して連結される一対のスタンド金具２６ａ、２６ｂからなり、連結部材１８は、見切り材２０が連結される傾斜連結部４２がいずれか一方側のスタンド金具に固定されたこととしてもよい。
【００１５】
また、支持基台１６は、立はぜ１２を間に挟んで拝み合わせ状に配置され、締結部材を介して連結される一対のスタンド金具２６ａ、２６ｂからなり、連結部材１８は、見切り材２０が連結される傾斜連結部４２と、該傾斜連結部４２に一端が固定されるとともにスタンド金具２６ａ、２６ｂの締結部材３６を介してスタンド金具に対して固定させる締結固定部７０と、を有することとしてもよい。
【考案の効果】
【００１６】
本考案の緑化屋根構造によれば、上記課題を解決するために本考案は、水流れ方向に沿って立はぜを併設させるように複数の板材を組付け接合して形成した屋根部と、立はぜの流れ方向の所要位置に取り付けられる複数の支持基台と、各支持基台に固定された連結部材と、緑化区域を仕切るように所定の位置に配置されて該連結部材に連結される複数の見切り材と、見切り材で仕切られた空間に配置される緑化用植栽と、を備え、少なくとも一つの支持基台の連結部材は、立はぜの流れ方向に対して平面視で斜め方向に交差するように見切り材を配置させた状態で該見切り材と連結しうるように立はぜの流れ方向に対して傾斜した傾斜連結部を有することから、種々の屋根形状に対応して緑化したり、屋根形状に左右されずバリエーションに富んだ態様で緑化したりすることができ、実用性が高い。さらに、構造が簡単で低コストで施工できる。
【００１７】
また、連結部材は、立はぜの流れ方向に対する見切り材の傾斜角度を調整可能な角度調整機構を含む構成とすることにより、一つの連結部材の態様で、多様な見切り材の配置構成に対応して連結することができる。その結果、例えば、多種多様なデザインの緑化区域の形状に対応できるとともに、緑化現場で適宜角度を調整することもでき、効率よく施工することができる。
【００１８】
また、角度調整機構は、支持基台に固定される固定基部と、固定基部に対して縦軸回りに回動自在に連結される可動連結部であって、見切り材と連結される可動連結部と、を有する蝶番を含む構成とすることにより、連結部材の角度調整機構を簡単な構造で低コストで具体的に実現できる。
【００１９】
また、連結部材は、複数の見切り材をそれぞれ異なる方向に向けて固定される複数の見切り材連結部が設けられた構成とすることにより、バリエーションに富んだ態様で緑化することができる。
【００２０】
また、連結部材は、略Ｖ字状に板片部が接続されて複数の見切り材連結部を形成したＶ字状板材を含む構成とすることにより、簡単な構造で、低コストで複数の見切り材連結部が形成された連結部材の構成を具体的に実現できる。
【００２１】
また、連結部材は、見切り材が連結される傾斜連結部が略円弧状に湾曲された湾曲板材を含む構成とすることにより、一部や全体にアール部分を含むデザインの緑化区域を実現することができ、緑化のデザインの幅を向上しうる。
【００２２】
また、見切り材は、板面が湾曲形成された構成とすることにより、一部または全体にアールを含むデザインの緑化区域を実現でき、緑化のデザインの幅を向上しうる。
【００２３】
また、支持基台は、立はぜを間に挟んで拝み合わせ状に配置され、締結部材を介して連結される一対のスタンド金具からなり、連結部材は、見切り材が連結される傾斜連結部がいずれか一方側のスタンド金具に固定された構成とすることにより、屋根部に孔をあけることなく、支持基台を立はぜに簡単に支持させることができるとともに、構造が簡単で低コストで施工することができる。連結部材とスタンド金具が一体になっているので、屋根上での作業での取り扱いや保管、管理、持ち運びを行いやすい。
【００２４】
また、支持基台は、立はぜを間に挟んで拝み合わせ状に配置され、締結部材を介して連結される一対のスタンド金具からなり、連結部材は、見切り材が連結される傾斜連結部と、該傾斜連結部に一端が固定されるとともにスタンド金具の締結部材を介してスタンド金具に対して固定させる締結固定部と、を有する構成とすることにより、連結部材を交換可能に支持基台に固定することができ、見切り材の配置態様に応じて適宜交換しながら屋上緑化することができる。
【図面の簡単な説明】
【００２５】
【図１】本考案の第１の実施形態に係る緑化屋根構造の要部を拡大した斜視説明図である。
【図２】図１の緑化屋根構造の平面図である。
【図３】図１の緑化屋根構造の支持基台周辺を拡大した斜視説明図である。
【図４】図１の緑化屋根構造の支持基台周辺を拡大した平面図である。
【図５】図１の緑化屋根構造の支持基台周辺を拡大した正面図である。
【図６】図１の緑化屋根構造の見切り材の一部分を示した斜視説明図である。
【図７】（ａ）、（ｂ）は図１の緑化屋根構造の他の実施形態の支持基台周辺の平面図である。
【図８】（ａ）は図１の緑化屋根構造の他の実施形態の支持基台周辺の正面図、（ｂ）はその平面図、（ｃ）は変形例の平面図である。
【図９】（ａ）は図１の緑化屋根構造の他の実施形態の支持基台周辺の正面図、（ｂ）はその平面図、（ｃ）（ｄ）は変形例の平面図である。
【図１０】（ａ）は図１の緑化屋根構造の他の実施形態の支持基台周辺の正面図、（ｂ）はその平面図である。
【図１１】（ａ）は図１の緑化屋根構造の他の実施形態の支持基台周辺の正面図、（ｂ）はその平面図、（ｃ）は変形例の平面図である。
【図１２】（ａ）は図１の緑化屋根構造の他の実施形態の支持基台周辺の正面図、（ｂ）はその平面図、（ｃ）は変形例の平面図である。
【図１３】図１１の支持基台と連結部材の分解説明図である。
【図１４】図１の緑化屋根構造の他の実施形態の平面説明図である。
【図１５】図１の緑化屋根構造の他の実施形態の平面説明図である。
【図１６】図１の緑化屋根構造の他の実施形態の平面説明図である。
【図１７】図１の緑化屋根構造の他の実施形態の平面説明図である。
【考案を実施するための形態】
【００２６】
以下、添付図面を参照しつつ本考案の緑化屋根構造の実施の形態について説明する。本考案の緑化屋根構造は、例えば、金属製屋根板材を屋根勾配すなわち水流れ方向に交差する左右方向に立はぜ部で接合して、水流れ方向に沿って立はぜ部が長く形成される縦葺きの屋根を緑化するのに好適な緑化屋根構造である。図１ないし図５は、本考案に係る緑化屋根構造の一実施形態を示している。図１、図２、図３、図４、図５に示すように、本実施形態では、緑化屋根構造１０は、水流れ方向に沿って立はぜ１２を併設して形成される屋根部１４と、立はぜの所定位置に取り付けられる複数の支持基台１６と、支持基台１６に固定される連結部材１８と、連結部材１８に固定される見切り部材２０と、見切り材２０で仕切られた空間に配置される緑化用植栽２２と、を備える。
【００２７】
屋根部１４は、例えば、建物の上部を覆う屋根部であり、図１、図２に示すように、屋根部１４は、屋根勾配すなわち水流れ方向(矢視Ｗ）に沿って長い立はぜ１２を左右に併設させるように複数の屋根板材２４を組付け接合して形成されている。本実施形態では、屋根部１４は、例えば、従来周知の縦はぜ葺きの金属屋根からなる。屋根部１４は、例えば、亜鉛メッキ鋼板、溶融亜鉛メッキ屋根用鋼板、アルミニウム−亜鉛合金メッキ鋼板等の耐水性、耐候性及び強度が高い金属製の屋根板材からなり、複数の屋根板材を屋根勾配の流れに沿って揃えつつ、左右両端のはぜ部分を締め付けて該板材板面よりも約２ｃｍ程度立ち上がった細幅帯長板状の立はぜ１２で接合されて、所定の屋根形状で形成される。本実施形態では、屋根部１４の屋根を構成する各屋根板材２４は、例えば、水流れ方向Ｗの水上側と水下側とで幅が同じになる略長方形状に設けられると略矩形状等の直線状の屋根形状輪郭を形成する。なお、図１３に示すように、例えば、金属製屋根板材２４は、水流れ方向Ｗの水上側の板幅が狭く、水下側の板幅が広く設定された略台形状のものを揃えて接合することにより、水下側すなわち平面視での屋根形状輪郭をアール形状に形成したり、多角形状に形成することとしてもよい。このとき、アール形の中心部が水流れ方向Ｗの水上側、アールの円弧側が水下側となり、屋根板材どうしの接合部分となる立はぜ１２は、中心から径方向に放射状に形成され、隣接する立はぜ１２どうしは水下側に向けて次第に離隔幅が広くなるようになっている。また、金属製の屋根板材２４は、水流れ方向Ｗの水上川の板幅が広く、水下側の板幅が狭く設定された略台形状のものを利用してもよく、種々の形状の屋根板材２４を組み合わせて所定の平面視形状の屋根１４を形成することとしてもよい。また、屋根部１４の屋根板材２４の組み合わせにより、平面視四角形状、三角形状、その他多角形状、円形状、楕円形状、扇形状、その他種々の形状で形成されていてもよい。
【００２８】
図１、図２、図３に示すように、支持基台１６は、屋根部１４の立はぜ１２の流れ方向の所要位置に取り付けられる支持手段である。図２では、説明のために各部材を簡略して記載している。支持基台１６は、後述の見切り材２０の屋根部１４上での取り付け位置に応じて、複数個取り付けられる。図４、図５にも示すように、本実施形態では、支持基台１６は、例えば、立はぜ１２を間に挟んで拝み合わせ状に配置連結される一対のスタンド金具２６ａ、２６ｂからなる。一対のスタンド金具を構成する第１スタンド金具２６ａと第２スタンド金具２６ｂは、略同一形状で形成されており、ステンレス等の硬質の金属板をプレス加工等によって所定形状に加工して設けられている。各スタンド金具２６ａ、２６ｂは、少なくとも立はぜ１２の屋根板面からの高さよりも大きなサイズで形成されており、例えば、側面視では縦が約５ｃｍ、横が約５ｃｍ程度のサイズの略矩形状に形成され、上端部が立はぜ１２の高さより高い位置に配置される。スタンド金具２６ａ、２６ｂは、プレス加工に限らず、例えば金属板を折り曲げ加工、鋳造等のその他任意の製造方法で製造してもよい。
【００２９】
スタンド金具２６ａ、２６ｂは、正面視では、互いに拝み合わせた状態で、上端部２７は上下方向に直線状に設けられるとともに、上下中間部２８は互いに外側に膨らむように拡大され、それらの下端部３０は互いに近接する方向に傾斜され、下端部３０からさらに横方向にＬ字状に折り曲げられたＬ字片部３２を形成している。さらに、スタンド金具２６ａ、２６ｂの中間部２８には、さらに外側に膨らむように金属板を曲げて突設させた補強凸部３４が形成されている。補強凸部３４は、スタンド金具２６ａ、２６ｂの側面視で互いに離隔した部分に二カ所設けられている。一対のスタンド金具２６ａ、２６ｂどうしは、例えば、中間部２８の補強凸部３４が設けられた部位であって、Ｌ字片部３２を屋根部１４の板面に当接させた際に立はぜ１２の上端よりも高い位置に穿孔されたボルト孔にボルト・ナット等のスタンド締結部材３６によって近接、離隔可能に締結される。一対のスタンド金具２６ａ、２６ｂは、Ｌ字片部３２を板面に当接させた状態で立はぜ１２を間に挟んで配置され、上下中間部２８により、屋根部１４の立はぜ１２を内包できるようになっており、スタンド締結部材３６によって拝み合わせ状に締結することによって下端部３０で、又は下端部３２と中間部２８とを協働させて、立はぜ１２を挟みつけて固定的に取り付けられる。なお、図５では、一対のスタンド金具２６ａ、２６ｂは、下端部３０で立はぜ１２の下部を締め付けて固定しているがこの固定態様に限らない。例えば、スタンド金具２６ａ，２６ｂは、立はぜの固定部分において立はぜ１２の高さ全体に面状に当着して該立はぜを締め付けて固定する構成としてもよい。
【００３０】
見切り材２０は、屋根部１４上の緑化用植栽２２を含む緑化用部材が配置される緑化区域を仕切るように所定の位置に配置されて緑化範囲を規定する化粧部材である。見切り材２０は、連結部材１８に連結されて該連結部材１８を介して支持基台１６に支持される。図１、図２に示すように、本実施形態では、見切り材２０は、緑化範囲の水上側又は水下側において水流れ方向Ｗと角度αで斜めに傾斜して交差する方向に延びて設置されている。本実施形態では、緑化する範囲が、平面視矩形状の屋根部１４に対して、水流れ方向Ｗとなる立はぜ１２の長手方向に対して、平面視で斜め方向に交差して帯状に延びる範囲に設定されるように、見切り材２０が設置されている。なお、見切り材２０の設置態様すなわち緑化する区域の態様は、後述のように、様々な形状となるように設定することができる。見切り材２０は、例えば、溶融亜鉛メッキ屋根用鋼板、アルミニウム−亜鉛合金メッキ鋼板、やアルミニウム等の耐水性、耐候性を有する金属材料で形成されており、図６（ａ）にも示すように、一方に長い金属平板からなる。見切り材２０は、金属平板のものに限らず、例えば、図６（ｂ）に示すように、長手方向に直交する断面の形状が略コ字状となるように曲折されたコ字形金属板や、図６（ｃ）に示すように、長手方向に直交に切断した断面形状が縦板部分の上端部と下端部がそれぞれ逆方向に直角Ｌ字状に向けて曲折された変形Ｚ字状の金属板や、図６（ｃ）に示すように、円弧状に曲成された金属板等、緑化する範囲となる緑化区域の輪郭形状やサイズ等や、必要な強度等に応じて、任意に形成するとよい。見切り材２０には、連結部材１８と連結するためのボルト孔３８が穿孔されており、ボルト・ナット等の見切り材締結部材４０を介して連結部材１８の傾斜連結部４２に連結される。見切り材２０のボルト孔３８は、例えば、事前に穿孔しておいてもよいし、現場で連結部材１８に対する見切り材２０の位置調整を行ってドリル等で穿孔することとしてもよい。なお、緑化する範囲の左右方向の端部は、水流れ方向Ｗに沿って長く設けられる他の見切り材が設けられる。
【００３１】
連結部材１８は、それぞれの支持基台１６に固定され、見切り材２０を支持基台１６に連結して支持するための見切り材連結部を有する連結手段である。図１、図２に示すように、例えば、立はぜ１２に固定される複数個の支持基台１６のうち、少なくとも一つの支持基台１６に固定される連結部材１８は、平面視で見切り材２０が立はぜ１２の長手方向（水流れ方向）に対して角度αで斜めに傾斜した状態で連結されるための傾斜連結部４２を有する。本実施形態では、水流れ方向Ｗに対して水上側、水下側に配置される見切り材２０を支持する全ての支持基台１４の連結部材１８が、傾斜連結部４２を有する構成となっている。このように、連結部材１８の構成により、屋根部１４の立はぜ１２の長手方向に対して斜めに交差するように見切り材２０を設置することが具体的に実現できるので、見切り材２０の設置自由度ひいては緑化区域の形状の自由度を増すことができる結果、種々の形状の屋根部に対応して緑化することができたり、あるいは屋根部の形状に左右されず緑化する範囲を様々な形状で形成したりすることができる。なお、緑化区域の形状に応じて配置される見切り材２０の配置方向に対応して、全ての支持基台１６の連結部材１８に傾斜連結部４２が設けられる構造してもよいし、一部の支持基台１６の連結部材１８に傾斜連結部４２を設けるとともに他の支持基台１６の連結部材１８は見切り材２０が立はぜの長手方向に対して平面視直交方向に交差するように該見切り材２０と連結する構成として、複数の態様を組み合わせた構成としてもよい。
【００３２】
図３、図４、図５にも示すように、本実施形態では、連結部材１８は、例えば、支持基台１６の一方のスタンド金具２６ａに固定された固定基部４４と、該固定基部４４に対して縦軸４６周りに回動自在に連結される可動連結部４８と、を有する蝶番５０を含む。丁番５０は、縦軸４６に対して左右非対称に設けられており、固定基部４４は比較的幅狭の金属板で形成され、可動連結部４８は比較的広い金属板で形成され、ヒンジ部となる縦軸４６を回転軸として互いに回動自在に連結されている。固定基部４４は、例えば、スタンド金具２６ａの側面視四角形状の上側の一つの角部近傍となる端部側に溶接等により一体的に固定されており、回転軸となる縦軸４６を立はぜ１２の高さ方向すなわち屋根板面に略垂直な方向に向けて設置されている。可動連結部４８は、見切り材２０と連結される部分であり、上述のように見切り材２０を立はぜの長手方向に対して平面視で斜め方向に交差させた状態で連結するための傾斜連結部４２を構成する。可動連結部４８には、板面を貫通したボルト孔５２が穿孔されており、板面に見切り材２０の板面を当着させた状態で見切り材締結部材４０を介して見切り材２０と連結される。本実施形態では、連結部材１８が蝶番５０を含むので、施工現場での緑化区域の輪郭形状に対応して、見切り材２０の立はぜ１２の長手方向に対する平面視の傾斜角度αを変更調整できる。よって、連結部材１８は、見切り材２０の角度を変更調整可能な角度調整機構６０を含む。なお、連結部材１８のスタンド金具への取り付け位置は、任意の場所でもよい。また、角度調整機構６０や蝶番５０は、見切り材２０を配置する角度を調整した後に、その角度で固定することとしてもよい。例えば、施工時に、蝶番５０の可動連結部４８を縦軸４６周りに回動して、立はぜに対して見切り材２０を設置する角度が決まったら、その角度を保持して縦軸４６周りに可動連結部４８が回動しないように、該可動連結部４８を固定基部４４又は縦軸４６等に溶接して固定するようにしてもよい。
【００３３】
図１、図２に示すように、緑化用植栽２２は、屋根部１４の上方に配置されて屋上緑化するための緑化手段であり、支持基台１６と連結部材１８を介して屋根部１４上に取り付けられた見切り材２０で囲まれた空間に配置される。本実施形態では、緑化用植栽２２は、例えば、従来周知の緑化用部材で構成されており、屋根部１４の板材の上に、下から順に、排水マット５４と、保護マット５６と、植物基盤５８と、が重ねて設置されている。植物基盤５８は、例えば、軽量で保水力が良い周知の屋上緑化用土壌や培地マット等からなり、植物の種又は苗等が植栽されて緑化される。緑化用植栽２２は、例えば、見切り材２０で囲まれる空間の形状に合わせて適宜設計される。例えば、植物基盤５８は、所定の形状、サイズの緑化用植生マットを複数並べて緑化区域内に配置してもよいし、ロール状に長い緑化用植生マットを緑化区域内に敷設することとしてもよい。保護マット５６は透水性のマットで植物基盤５８の下に敷設されている。排水マット５４は、透水性の高いマットであり、所定の厚さに設定されている。なお、緑化用植栽２２は、例えば、植物基盤５８のみで構成したり、植物基盤５８と排水マット５４との組み合わせのみで構成したりしてもよく、その他任意の構成でもよい。また、緑化用植栽２２は、生きた植物を利用する態様に限らず、乾燥（ドライ）処理や保存・防腐処理、その他の処理を施された植物や、合成樹脂やその他人工物で植物を模して形成された人工植物を利用してもよい。
【００３４】
例えば、図２に示すような緑化区域の形状となる緑化屋根構造１０を施工する際には、図１、図２に示すように、屋根部１４の立はぜ１２に複数の支持基台１６を取付ける。支持基台１６は、緑化区域の輪郭形状に沿って配置される見切り材２０の設置位置に対応して配置する。支持基台１６は、一対のスタンド金具２６ａ、２６ｂを立はぜ１２を間に挟んで拝み合わせ状に配置してスタンド締結部材３６で連結されるので、屋根部１４に孔をあけることなく、簡単に取付け作業を行える。支持基台１６に取り付けられた連結部材１８の蝶番５０の可動連結部４８を縦軸４６周りに回動して傾斜連結部４２の角度を変更することにより、立はぜ１２の長手方向に対して角度αに調整しながら見切り材２０を見切り材締結部材４０を介して連結する。見切り材２０は、少なくとも２か所を連結部材１８の可動連結部４８に連結すると、角度が固定された状態で支持される。見切り材２０を支持させて囲まれた空間に緑化用植栽２２が配置されて、水流れ方向に対して平面視で斜めに交差する帯状の緑化区域が形成される。このように見切り材２０を立はぜ１２の長手方向に対して斜めに交差して支持する連結部材を全部または少なくとも一部の支持基台１６に設けた構成とすることにより、従来のような矩形状の屋根形状に対応して矩形状の緑化区域を形成する態様に限らず、屋根形状に左右されることなくバリエーションに富んだ様々な形状の緑化区域を具体的に実現することができる。なお、仕切り材２０で囲まれる緑化区域内には、必要に応じて、立はぜ１２に平面視で直交又は斜め方向に交差するように横仕切り材を配置することとしてもよい。横仕切り材は、例えば、上述した見切り材２０を支持する支持基台１６、連結部材１８と同じ構成で支持することとしてもよい。
【００３５】
なお、屋根部１４、支持基台１６、連結部材１８、仕切り材２０、緑化用植栽２２等の構成は、前述した実施形態に限らず、屋根部の形状や緑化区域の形状に応じた変更を行ってもよい。例えば、図７、図８、図９、図１０、図１１、図１２、図１３には、連結部材１８の他の実施形態を示している。また、図１４、図１５、図１６には、緑化領域の他の形状の実施形態を示している。なお、上記実施形態と同一部材には同一符号を付し詳細な説明は省略する。図１４〜図１７では、説明のために各部材を簡略して記載している。
【００３６】
図７（ａ）の実施形態では、連結部材１８Ａは蝶番５０を含むが、該連結部材１８Ａは２つのスタンド金具２６ａ、２６ｂの両方にそれぞれ一つずつ固定されて構成されている。すなわち、一つの支持基台１６に対して、２つの連結部材１８Ａが固定されており、２つの見切り材２０をそれぞれ異なる方向に向けて支持することができるように２つの傾斜連結部４２が設けられている。これにより、例えば、図１４に示すように、円形状や扇形状のようにアールを含む屋根形状や六角形等の多角形状の屋根の場合、立はぜ１２が放射状に並設される場合でも、屋根形状に応じて形状で緑化区域を形成するのに実用できる。また、例えば、屋根形状に左右されずに所望の形状で緑化区域を形成するのにも利用することができる。図７（ｂ）の実施形態では、連結部材１８Ｂは、上記実施形態と同じように蝶番５０を含むが、略Ｖ字状に曲折された補助連結板６２を有している。補助連結板６２は、例えば、金属平板を略Ｖ字状に曲げて形成されたＶ字状板材からなり、それぞれの板片部にボルト孔５２が穿孔されている。連結部材１８Ｂは、蝶番５０の可動連結部４８に略Ｖ字状の補助連結板６２がボルト・ナットで連結されるが、該補助連結板６２のＶ字状の各板片部が傾斜連結部４２となり、それぞれの傾斜連結部４２に見切り材２０を連結することができる。これにより、２つの見切り材２０をそれぞれ異なる方向に向けて設置することができ、種々の屋根形状に対応した緑化区域の形成や、屋根形状に左右されず自由度の高い緑化区域の形成を実現できる。
【００３７】
図８の実施形態では、連結部材１８Ｃは、例えば、略四角形状の金属平板からなり、ボルト孔５２が穿孔されている。図８（ａ）、（ｂ）に示すように、金属平板からなる連結部材１８Ｃは、その一つの隅部近傍を、一方のスタンド金具２６ｂの端部に溶接により固定されている。連結部材１８Ｃは、その板面が立はぜ１２の長手方向に対して平面視で角度αとなるように斜めに傾斜して配置されており、該連結部材１８Ｃに連結される見切り材２０は立はぜ１２に対して斜めに傾斜して配置される。なお、連結部材１８Ｃの固定角度は任意でよく、例えば、図８（ｃ）に示すように、立はぜの長手方向に直交する位置から逆方向に傾斜した角度で固定することとしてもよい。
【００３８】
図９の実施形態では、連結部材１８Ｄは、例えば、平面視略Ｖ字状に曲折されたＶ字状板材６４を含む。図９（ａ）、（ｂ）に示すように、Ｖ字状板材６４は、例えば、金属平板を中央から折り曲げて形成されており、各板片部にそれぞれボルト孔５２が穿孔されている。Ｖ字状板材６４の一方の板片の隅部近傍が、一方のスタンド金具２６ｂの端部に溶接により固定されている。この実施形態でも、２つの見切り材をそれぞれ異なる方向に向けて配置した状態で連結することができる。なお、図９（ｃ）に示すように、Ｖ字状板材６４は、平面視で逆Ｖ字状の向きで一方のスタンド金具２６ｂに溶接固定されることとしてもよい。また、図９（ｄ）に示すように、Ｖ字状板材６４は、Ｖ字の頂角部周辺を一方のスタンド金具２６ｂに溶接固定されることとしてもよい。また、Ｖ字状板材６４のＶ字の向きや、折り曲げ角度すなわち板片部の向きは任意でもよい。また、施工現場でＶ字状板を強制的に曲げ伸ばして角度を調整することしてもよい。また、Ｖ字状板材６４の一方の板片部の向きを、立はぜ１２の長手方向と平行方向や、立はぜ１２の長手方向と平面視直交方向に向けて設定して、見切り材２０を立はぜ１２と平行方向や直交方向に向けて配置させて連結する見切り材連結部の構成としてもよい。
【００３９】
図１０の実施形態では、連結部材１８Ｅは、例えば、２つの略Ｖ字状のＶ字状板材６４が、２つのスタンド金具２６ａ、２６ｂのそれぞれに固定されている。各Ｖ字状板材６４は、Ｖ字の頂角部分をスタンド金具２６ａ、２６ｂの端部に溶接により固定されている。２つのＶ字状板材６４の合計４個の板片部が傾斜連結部４２を構成し、４つの見切り材２０をそれぞれ連結することができる。なお、図１０では、２つのＶ字状板材６４は、対称的な角度となるように傾斜連結部４２の角度が設定されているが、それぞれの傾斜連結部４２の角度を任意の方向に設定することとしてもよい。また、図１７に示すように、Ｖ字状板材６４の一方の板片部は、立はぜ１２の長手方向と平行に設けられ、見切り材２０を立はぜ１２と平行に設置するように連結する構成としてもよい。また、Ｖ字状板材６４の一方の板片部は、立はぜ１２の長手方向と直交方向に設け、見切り材２０を立はぜ１２と直交方向に交差して設置するように連結する構成としてもよい
【００４０】
図１１の実施形態では、連結部材１８Ｆは、例えば、平面視略円弧状に湾曲された湾曲板材６６を含む。図１１（ａ）、（ｂ）に示すように、湾曲板材６６は、例えば、金属平板を略円弧状に曲成して設けられており、左右にボルト孔５２が穿孔されており、該板材の隅部近傍が一方のスタンド金具２６ｂに溶接により固定されている。この湾曲板材６６は、図７（ｄ）に示すような湾曲して形成された見切り材２０を連結するのに好適であり、該湾曲板材６６が傾斜連結部４２を構成して、該湾曲板材６６の凹面側又は凸面側に見切り材２０を当着して見切り材締結部材で締結される。なお、図１１（ｃ）に示すように、円弧の凹凸の向きを逆にしてスタンド金具２６ｂに溶接固定することとしてもよい。また、図１０（ｄ）に示すように、湾曲板材６６は、略中間位置を一方のスタンド金具２６ｂに溶接固定することとしてもよい。また、湾曲板材６６は、略円弧状の曲率や、スタンド金具２６ｂとの固定位置、円弧の向きも任意でもよい。
【００４１】
図１２、図１３の実施形態では、連結部材１８Ｇは、上記の実施形態とは異なり、スタンド金具２６ａ、２６ｂのスタンド締結部材３６を介して固定されている。図１２（ａ）、（ｂ）、図１３に示すように、連結部材１８Ｇは、例えば、平面視略Ｖ字状に２つの傾斜連結部４２が形成されたＶ字状部６８と、該傾斜連結部４２を形成したＶ字状部６８のＶ字頂角部分に一端が固定された締結固定部７０と、を有している。締結固定部７０は、金属製で平板状に形成されており、２つのボルト孔７０が穿孔されている。締結固定部６８は、一対のスタンド金具２６ａ、２６ｂの間に挟まれるように配置されるとともに、スタンド締結部材３６をボルト孔７２に挿通して組付けられ、スタンド締結部材３６を締結することによりスタンド金具２６ａ、２６ｂに対して固定される。なお、図１２（ｃ）に示すように、連結部材１８Ｇは、Ｖ字状部６８に代えて円弧状部６９を設ける構成としてもよい。連結部材１８Ｇの態様を複数用意しておき、必要に応じて取り換えることができ、種々の屋根形状に対応した緑化区域の形成や、バリエーションに富んだ緑化区域の形成に利用できる。
【００４２】
上記のような様々な連結部材１８、１８Ａ〜１８Ｇ、その他の構成の連結部材１８が固定された複数の支持基台１６や見切り材２０を組み合わせて、種々のデザインの緑化区域を形成することができる。例えば、図１５に示すように、複数の菱形状の緑化区域が並設された態様とすることもできる。各支持基台１６には、菱形形状となるように組み合わされる見切り材２０の構成に対応して支持連結できるような連結部材１８Ａ、１８Ｅ等が固定されている。この際、並設された複数の菱形の緑化区域には、同じ植物を植栽することとしてもよいし、異なる植物を植栽することとしてもよい。また、図１６に示すように、ハート形状の緑化区域を形成することもできる。各支持基台１６には、ハート形状に形成される見切り材２０の配置構成や湾曲された形状に対応して連結部材１８Ａ、１８Ｆ等が固定されている。また、図１７に示すように、複数の平行四辺形状の緑化区域２２を並設させた態様とすることもできる。各支持基台１６には、それぞれの見切り材２０の配置構成に対応して連結部材１８Ｅ等が固定されている。例えば、見切り材２０で囲まれた複数の平行四辺形状部分について、交互に緑化する緑化区域２２と緑化しない区域としたり、交互に異なる植物を植栽したりして市松模様状のような配色で緑化することもできる。その他、例えば、円形状、多角形、花形状、星形状、会社や商品のロゴマーク、文字、幾何学模様等、様々なバリエーションに富んだ形状の緑化区域を形成することができる。
【００４３】
以上説明した本考案の緑化屋根構造は、上記した実施形態のみの構成に限定されるものではなく、実用新案登録請求の範囲に記載した本考案の本質を逸脱しない範囲において、任意の改変を行ってもよい。
【産業上の利用可能性】
【００４４】
本考案の緑化屋根構造は、種々の形状の金属屋根に様々なデザインの緑化を施すのに好適に利用できる。
【符号の説明】
【００４５】
１０    緑化屋根構造
１２    立はぜ
１４    屋根部
１６    支持基台
１８    連結部材
２０    見切り材
２２    緑化用植栽
２６ａ、２６ｂ    スタンド金具
３６    スタンド締結部材
４２    傾斜連結部
４４    固定基部
４６    縦軸
４８    可動連結部
５０    蝶番
６０    角度調整機構
６４    Ｖ字状板材
６６    湾曲板材
７０    締結固定部
【図１】
0003226062.tif 000003
【図２】
0003226062.tif 000004
【図３】
0003226062.tif 000005
【図４】
0003226062.tif 000006
【図５】
0003226062.tif 000007
【図６】
0003226062.tif 000008
【図７】
0003226062.tif 000009
【図８】
0003226062.tif 000010
【図９】
0003226062.tif 000011
【図１０】
0003226062.tif 000012
【図１１】
0003226062.tif 000013
【図１２】
0003226062.tif 000014
【図１３】
0003226062.tif 000015
【図１４】
0003226062.tif 000016
【図１５】
0003226062.tif 000017
【図１６】
0003226062.tif 000018
【図１７】
0003226062.tif 000019
【手続補正書】
【提出日】令和2年3月2日(2020.3.2)
【手続補正１】
【補正対象書類名】実用新案登録請求の範囲
【補正対象項目名】請求項２
【補正方法】変更
【補正の内容】
【請求項２】
連結部材は、立はぜの流れ方向に対する見切り材の傾斜角度を調整可能な角度調整機構を含み、
角度調整機構は、支持基台に固定される固定基部と、
固定基部に対して縦軸回りに回動自在に連結される可動連結部であって、見切り材と連結される可動連結部と、を有することを特徴とする請求項１記載の緑化屋根構造。
【手続補正２】
【補正対象書類名】実用新案登録請求の範囲
【補正対象項目名】請求項３
【補正方法】変更
【補正の内容】
【請求項３】
角度調整機構は、前記固定基部と、前記可動連結部と、を有する蝶番を含むことを特徴とする請求項２記載の緑化屋根構造。